(57)【要約】【課題】操縦性を従来より高めた運転台を備えた作業車両を提供することである。【解決手段】運転台１０のステップ１７上のサイド側の壁面である側壁部２０上に車速を調整するための主変速レバー１４を含む操作部材を設置し、フロント側壁面である前壁部１９の上に配置した走行速度、燃料量又は作業上の指示内容を含む走行上及び／又は作業上の情報を表示する画面を有するモニタパネル２４と、旋回方向を含む操作を行う操向レバー１６を配置し、前壁部１９と側壁部２０とに囲まれた領域に設けられる操縦席８とを設けており、モニタパネル２４の下方とステップ１７の間に操縦席８に着座した運転者の膝が入り込むだけの大きさの空間を設けた作業車両である。【選択図】図１
2007143532.tif 000002
【特許請求の範囲】
【請求項１】
ステップ（１７）上のサイド側の壁面である側壁部（２０）と、該側壁部（２０）上に配置した車速を調整するための主変速レバー（１４）を含む操作部材設置部と、フロント側壁面である前壁部（１９）と、該前壁部（１９）の上に配置した走行速度、燃料量又は作業上の指示内容を含む走行上及び／又は作業上の情報を表示する画面を有するモニタパネル（２４）と、旋回方向を含む操作を行う操向レバー（１６）と、前壁部（１９）と側壁部（２０）とに囲まれた領域に設けられる操縦席（８）と、を有する運転台（１０）を備えた作業車両であって、
前記モニタパネル（２４）の下方とステップ（１７）の間に操縦席（８）に着座した運転者の膝が入り込むだけの大きさの空間を設けたことを特徴とする作業車両。
【請求項２】
操向レバー（１６）の頂部に設けたグリップ部とモニタパネル（２４）の上面をほぼ同じ高さに配置したことを特徴とする請求項１記載の作業車両。
【請求項３】
前傾させた場合の主変速レバー（１４）の頂部に設けたグリップ部とモニタパネル（２４）の上面をほぼ同じ高さに配置したことを特徴とする請求項１又は２記載の作業車両。
【発明の詳細な説明】
【技術分野】
【０００１】
本発明は、植立穀稈を収穫する作業車両に関し、特に運転台の構成に特徴がある作業車両に関する。
【背景技術】
【０００２】
コンバインなどの作業車両はクローラを構成する無限履帯の接地面積を広くし、水田など軟弱な圃場でも自由に走行して刈取作業などの農作業を可能としている。  
前記作業車両の操縦席のある運転台には変速レバー、操向レバーなどの各種レバー、各種操作用の操作スイッチ類及び作業内容、車速などを表示する表示装置等が所狭しと配置されている（特許文献１）。
【特許文献１】特開２００４−２７５１４２号公報
【発明の開示】
【発明が解決しようとする課題】
【０００３】
上記特許文献１のコンバインの運転台には各種操作レバー、操作スイッチ、操作ダイヤル及び表示パネルなど、コンバインの操縦、刈り取った穀稈の脱穀処理、脱穀した穀粒の一時的貯蔵と外部への排出のための操作用の機器類、表示装置などが操縦席の廻りに配置されている。そのため、運転台のステップに足を載せた状態では、前方下方の刈取装置の分草杆とその周辺を視野に入れるのが難しくなる。そのため植立穀稈を分草する分草杆付近を見ながら刈取作業をするためには立ち姿勢になる必要があった。  
本発明の課題は、操縦性を従来より高めた運転台を備えた作業車両を提供することである。
【課題を解決するための手段】
【０００４】
上記課題は次の解決手段で解決される。  
請求項１記載の発明は、ステップ（１７）上のサイド側の壁面である側壁部（２０）と、該側壁部（２０）上に配置した車速を調整するための主変速レバー（１４）を含む操作部材設置部と、フロント側壁面である前壁部（１９）と、該前壁部（１９）の上に配置した走行速度、燃料量又は作業上の指示内容を含む走行上及び／又は作業上の情報を表示する画面を有するモニタパネル（２４）と、旋回方向を含む操作を行う操向レバー（１６）と、前壁部（１９）と側壁部（２０）とに囲まれた領域に設けられる操縦席（８）と、を有する運転台（１０）を備えた作業車両であって、前記モニタパネル（２４）の下方とステップ（１７）の間に操縦席（８）に着座した運転者の膝が入り込むだけの大きさの空間を設けた作業車両である。
【０００５】
請求項２記載の発明は、操向レバー（１６）の頂部に設けたグリップ部とモニタパネル（２４）の上面をほぼ同じ高さに配置した請求項１記載の作業車両である。
【０００６】
請求項３記載の発明は、前傾させた場合の主変速レバー（１４）の頂部に設けたグリップ部とモニタパネル（２４）の上面をほぼ同じ高さに配置した請求項１又は２記載の作業車両である。
【発明の効果】
【０００７】
請求項１記載の発明によれば、ステップ（１７）に足を載せた状態でオペレータが機体前方に座ることができ、分草杆を含む刈取装置などの作業車両の先端底部が見易くなるので良好な操縦性の作業車両となる。
【０００８】
請求項２記載の発明によれば、請求項１記載の発明の効果に加えて、操向レバー（１６）の操作中に該レバー（１６）の横にモニタパネル（２４）があるのでモニタパネル（２４）内の側部にあるスイッチ等を旋回レバー（１６）を操作している指で押し易い。
【０００９】
請求項３記載の発明によれば、請求項１又は２記載の発明の効果に加えて、主変速レバー（１４）の最大傾斜時に、モニタパネル（２４）内にあるスイッチなどの操作具を使用し易くなる。
【発明を実施するための最良の形態】
【００１０】
作業車両の一例であるコンバインを例に本発明の実施の形態を図面と共に説明する。  
本実施例のコンバイン１の右側面図を図１に、正面図を図２に示す。なお、本明細書では、幅方向又は左側及び右側とはコンバイン１が前進する方向に向いたときの方向を言う。
【００１１】
図１および図２に示すように、コンバイン１の車体２の下部側に土壌面を走行する左右一対の走行装置（以下、走行クローラと称す。）３を有する走行装置本体４を配設し、車体２の前端側に分草杆６を備えた刈取装置７が設けられている。刈取装置７の後方には操縦席８を備えた運転台１０があり、また車体２の上方には刈取装置７から搬送されてくる穀稈を引き継いで搬送して脱穀、選別する脱穀装置（図示せず）が運転台１０の左後方に設けられ、該脱穀装置で脱穀選別された穀粒を一時貯溜するグレンタンク１１が脱穀装置の右側に配置されている。グレンタンク１１の後部にオーガ１２を連接して、グレンタンク１１内の穀粒をコンバイン１の外部に排出する構成としている。また、運転台１０の左側には防塵カバー１３で覆われた作業用ライト９が設けられており、刈取装置７の右前方には前照灯１８を備えている。
【００１２】
上記コンバイン１はオペレータが操縦席８に着座してＨＳＴ主変速レバー１４および副変速レバー１５（図３参照）を操作し、エンジン（図示せず）の動力を図示しない走行トランスミッションケース内の主変速機を介して変速し、左右の走行クローラ３、３に伝動して任意の速度で走行する。また、オペレータが操向レバー１６を左右に傾倒操作することにより各種旋回走行をすることができる。すなわち、操向レバー１６をコンバイン１を旋回させようとする方向に傾倒操作することにより、左右の走行クローラ３、３に速度差が与えられて走行方向の変更が行われる構成としている。
【００１３】
上記コンバイン１の運転台１０の平面図を図３に示し、運転台１０の左側面図を図４に示す。  
図３に示すステップ１７と操縦席８を備えた運転台１０は、フロント側壁面である前壁部１９と左サイド側壁部２０を備え、運転台１０の右側面はオペレータの乗降用の空間が設けられ、フロント側の前壁部１９の右寄り部分にはパワステレバーと略称される操向レバー１６と、その後方に近接する位置に操向レバー１６を操作する時に操作腕や操作手を置くための受台（ハンドレスト）２１と該受台２１を支持し、かつオペレータが乗降する時の支えバーとなるアーム２２ａが車体２上に設けられている。また受台２１の左側には走行速度、グレンタンク１１内の穀粒の貯留量などを表示するモニタパネル２４が設けられ、受台２１とモニタパネル２４は車体２と一体化した前記アーム２２ａ，２２ｂ、２２ｃにより構成されるブリッジと一体的に合成樹脂で成形され、支持されている。
【００１４】
またモニタパネル２４の左側であってフロント側の前壁部１９の左寄り部分には刈取装置６や走行用の機器を操縦するための操作パネル２５が設けられている。これら受台２１、アーム２２、モニタパネル２４及びスイッチ操作用の操作パネル２５は一体成形した合成樹脂で成形しても良い。
【００１５】
また、左サイド側壁部２０には主変速レバー１４、副変速レバー１５、刈取レバー２６、脱穀レバー２７及びアクセルレバー２８とこれらのレバーを前後左右に操作するためのレバーガイドを備えたガイド板２９が設けられている。また、運転台１０の後部には操縦席８が設けられている。前記操縦席８はオペレータの乗降用の空間より後部側に位置し、かつ操縦席８の右側部位には取っ手２３（図１）が設けられていて、取っ手２３は前記受台支えアーム２２ａと共にオペレータがコンバイン１に乗降する際の把持部となる。
【００１６】
前壁部１９にはモニタパネル２４などが装着されているが、モニタパネル２４の下方に開放空間を有し、アーム２２と左サイド側壁部２０側をブリッジ型に一体成形した構成からなる。そのため、モニタパネル２４と、その下方のステップ１７との間にできた空間が比較的大きくなる。従って前記空間は操縦席８に着座した標準的な日本人男性の膝が十分入り込む大きさとなる。オペレータは、操縦席８の前方に身を乗り出して穀稈刈取り作業中に分草杆６を監視することをよく行うが、この様な動作をする場合にも前記空間にオペレータの膝が十分入り込むので、前記監視作業を支障なく行うことができる。
【００１７】
また、図３に示すように、操向レバー１６の左側にモニタパネル２４を配置しており、モニタパネル２４の中央部に液晶表示画面２４ａを配し、その下方にエンジン回転計２４ｂ、右側に右側のウィンカを点滅させる右ウィンカスイッチ２４ｃとその下方に前照灯スイッチ２４ｅ及びホーン２４ｇ、左側に左側のウィンカを点滅させる左ウィンカスイッチ２４ｄとその下方に作業用ライトスイッチ２４ｆ及び表示切換スイッチ２４ｈがそれぞれ配置されている。なお、通常時はグレンタンク１１内の籾の量を表示する液晶表示画面２４ａが表示切換スイッチ２４ｈを切り換えると、コンバインに設けられる各種センサのチェックができる表示画面となり、更に切り換えると異常の有無を表示する。
【００１８】
さらに操向レバー１６のグリップ高さとモニタパネル２４の上面とをほぼ同じ高さとすることで、操向レバー１６の操作中に、モニタパネル２４の上面に配置した前記スイッチ類の操作がし易くなる。
【００１９】
さらに、図４に示すように左サイド側壁部２０に設けた主変速レバー１４のグリップとモニタパネル２４の上面とをほぼ同じ高さとしている。これらの配置により主変速レバー１４を前進方向に倒した時の右横にモニタパネル２４があることになり、主変速レバー１４の操作中に、モニタパネル２４の上面のスイッチ操作がし易くなる。
【００２０】
上記配置により、刈取作業時の操向レバー１６の位置と前進方向に倒した時の主変速レバー１４の間にモニタパネル２４がほぼ真横に並ぶことになり、主変速レバー１４と操向レバー１６が操作し易い位置に操縦席８のシートを合わせてオペレータが座ることで、モニタパネル２４の表示画面を楽な姿勢で見ることが出来る。
【００２１】
また、主変速レバー１４の前側にスイッチ操作用の操作パネル２５があるので、図４に示すように、作業中に主変速レバー１４の最高速位置で、該レバー１４をオペレータが握った状態で、指を伸ばすと操作パネル２５のスイッチを指で操作できる状態となる。
【００２２】
このとき、主変速レバー１４の最高速位置で、主変速レバー１４を握ったオペレータの指が操作パネル２５の操作頻度の高いスイッチを操作できるようにする。図５には操作パネル２５のスイッチ群とダイヤル群を示すが、上方に注油スイッチ３０、方向スイッチ３１、扱ぎ深さスイッチ３２などの操作頻度の高いスイッチを配置している。
【００２３】
注油スイッチ３０は油タンク（図示せず）からフィードチェン（図示せず）、刈取装置７の搬送チェンなどに注油をするためのスイッチであり、方向スイッチ３１は分草杆６に設けた方向センサ（図示せず）のオン・オフによって機体を真っ直ぐに走行させるための制御スイッチであり、扱ぎ深さスイッチ３２は脱穀装置での穀稈の扱ぎ深さを調整するスイッチである。
【００２４】
次に、図５に示す操作パネル２５に配置されたその他のスイッチ群とダイヤル群について説明する。  
知能スイッチ３３は主変速レバー１４を中立にするとエンジンがアイドリング状態となり、主変速レバー１４を中立位置から前、後方向に動かすと、それぞれエンジンが定格回転まで上がる操作をし、さらに籾排出レバーを「入り」にするとエンジン回転を定格にするスイッチである。マイルドスイッチ３４は左右のクローラ３，３の前進回転数に差異を設けて行う緩旋回を行うための制御を行うスイッチであり、標準スイッチ３５は左右のクローラ３，３の内の一方のみの回転を停止して旋回するための制御を行うスイッチである。
【００２５】
また、知能スイッチ３３の調整ダイヤル３６は前記知能スイッチ３３が「入り」の時に作用し、該スイッチ３３の前記した機能に加えて、刈取走行作業中にはエンジン回転を定格値に保持する制御を行うものである。例えば、エンジン回転を最少２６００ｒｐｍから最大３０００ｒｐｍの範囲で適宜選択可能であり、前記定格値を２８００ｒｐｍとする。
【００２６】
刈高スイッチ３８は左の刈高調整ダイヤル４１で設定した高さに刈取装置７を自動保持するための制御を行うスイッチであり、オートリフトスイッチ３９は刈取装置７の内部に設けた穀稈センサ（図示せず）が穀稈を検出しなくなり、さらに所定距離走行すると刈取装置７を所定高さまで上昇させるための制御を行うスイッチである。畦際スイッチ４０はコンバイン１が畦際に来て刈取装置７を所定高さに上げると主変速レバー１４を前進側にしても走行せず、刈取装置７と脱穀装置を作動させるスイッチである。
【００２７】
また車体の左右スイッチ４３、前後スイッチ４４はそれぞれ自動で車体２の左右方向の水平（ローリング制御）と前後方向の水平（ピッチング制御）を保つためのスイッチであり、湿田スイッチ４５は湿田での作業時に車両の前進を一旦止めて後進する際において、車体２の前上げ（ピッチングシリンダを利用）を行い、さらに刈取装置７を最上昇させるスイッチである。これらの車体関係スイッチによる車体の傾き度合い又は上昇度合いは左側の傾き調整ダイヤル４６で設定できる。即ち、傾き調整ダイヤル４６は左右ローリング制御の基準値を、水平に対して左右方向に変更するものである。
【００２８】
上記操作パネル２５のスイッチ群とダイヤル群の中で作業中に設定変更操作しない方が良いもの、例えば刈取装置７の高さ調整用又は車体２の高さ、傾きの調整用のスイッチ群・ダイヤル群３８〜４６は操作パネル２５の下方に設けているので、主変速レバー１４を前進位置に操作した場合に、これらのスイッチ群・ダイヤル群３８〜４６は操作しにくくなり、誤操作を防止することができる。
【００２９】
また、上記した操作パネル２５のダイヤル群３６，４１，４６は左側に配置しているが、これは主変速レバー１４を操作しているときにも、これらのダイヤル群３６，４１，４６を操作できるようにするためである。
【００３０】
また、図４に示すように主変速レバー１４を倒しても、主変速レバー１４が操作パネル２５と干渉しないような位置に主変速レバーの回動支点１４ａを配置することで、主変速レバー１４の配置が適正になり、その操作性も楽になる。
【００３１】
さらに、受台２１と主変速レバー１４の最大前傾時におけるグリップの高さをほぼ同じにしたので、主変速レバー１４が最大前傾位置での運転が楽な姿勢ででき、右手の高さと左手の高さが同じ高さになり、オペレータの疲労が軽減される。
【産業上の利用可能性】
【００３２】
本発明は操縦性の優れたコンバインとして利用可能性がある。
【図面の簡単な説明】
【００３３】
【図１】本発明の一実施例のコンバインの右側面図である。
【図２】図１のコンバインの正面図である。
【図３】図１のコンバインの運転台の平面図である。
【図４】図１のコンバインの運転台の左側面図である。
【図５】図１のコンバインの操作パネル部分の平面図である。
【符号の説明】
【００３４】
１  コンバイン                ２  車体
３  走行装置（走行クローラ）  ４  走行装置本体
６  分草杆                    ７  刈取装置
８  操縦席                    ９  作業用ライト
１０  運転台                  １１  グレンタンク
１２  オーガ                  １３  防塵カバー
１４  主変速レバー            １４ａ  主変速レバー回動支点
１５  副変速レバー            １６  操向レバー
１７  ステップ                １８  前照灯
１９  前壁部                  ２０  側壁部
２１  受台                    ２２ａ，２２ｂ、２２ｃ  アーム
２３  取っ手                  ２４  モニタパネル
２４ａ  液晶表示画面          ２４ｂ  エンジン回転計
２４ｃ  右ウィンカスイッチ    ２４ｄ  左ウィンカスイッチ
２４ｅ  前照灯スイッチ        ２４ｆ  作業用ライトスイッチ
２４ｇ  ホーン                ２４ｈ  表示切換スイッチ
２５  操作パネル              ２６  刈取レバー
２７  脱穀レバー              ２８  アクセルレバー
２９  ガイド板                ３０  注油スイッチ
３１  方向スイッチ            ３２  扱ぎ深さスイッチ
３３  知能スイッチ            ３４  マイルドスイッチ
３５  標準スイッチ            ３６  知能スイッチの調整ダイヤル
３８  刈高スイッチ            ３９  オートリフトスイッチ
４０  畦際スイッチ            ４１  刈高調整ダイヤル
４３  左右スイッチ            ４４  前後スイッチ
４５  湿田スイッチ            ４６  傾き調整ダイヤル
【図１】
2007143532.tif 000003
【図２】
2007143532.tif 000004
【図３】
2007143532.tif 000005
【図４】
2007143532.tif 000006
【図５】
2007143532.tif 000007